(57)【要約】【課題】脇の下の接触を回避し、一定の測定姿勢の確保や維持を容易にすることができる生体電気インピーダンス測定装置を提供する。【解決手段】基準ポイントとなる身体部位にガイド位置決めするガイド位置決め部３、７を有し、このガイド位置決め部あ、７によりガイド位置決めした際に、手接触部５、９が上前腸骨棘を通る垂直線から胴側部回り方向に上後腸骨棘を通る垂直線までの範囲かつ肋骨最下部を通る水平線から腸骨稜上縁を通る水平線までの範囲にある身体部位に定着するように胴部押当体１、２を形成した。【選択図】図１
2007130150.tif 000002
【特許請求の範囲】
【請求項１】
電極を有する手接触部と、基準ポイントとなる身体部位にガイド位置決めするガイド位置決め部とを有し、前記ガイド位置決め部によりガイド位置決めした際に、前記手接触部が上前腸骨棘を通る垂直線から胴側部回り方向に上後腸骨棘を通る垂直線までの範囲かつ肋骨最下部を通る水平線から腸骨稜上縁を通る水平線までの範囲にある身体部位に定着するように形成した胴部押当体を備える生体電気インピーダンス測定装置。
【請求項２】
前記基準ポイントとなる身体部位が、上前腸骨棘であり、
前記上前腸骨棘を通る垂直線から胴側部回り方向に上後腸骨棘を通る垂直線までの範囲が、上前腸骨棘を通る垂直線から胴側部回り方向に腸骨稜上縁を通る垂直線までの範囲であることを特徴とする請求項１記載の生体電気インピーダンス測定装置。
【請求項３】
前記ガイド位置決め部は、前記上前腸骨棘を垂直下方向及び胴側部回り方向に押当しながらガイド位置決めするガイド位置決め面を有し、
前記胴部押当体は、前記ガイド位置決め面によりガイド位置決めした際に、前記上前腸骨棘を通る垂直線から胴側部回り方向に腸骨稜上縁を通る垂直線までの範囲かつ肋骨最下部を通る水平線から腸骨稜上縁を通る水平線までの範囲にある身体部位に押し当たる押当面を有するとともに、前記押当面と対向する側に前記手接触部を設けたことを特徴とする請求項２記載の生体電気インピーダンス測定装置。
【請求項４】
前記基準ポイントとなる身体部位が、上前腸骨棘であり、
前記上前腸骨棘を通る垂直線から胴側部回り方向に上後腸骨棘を通る垂直線までの範囲が、腸骨稜前後を通る垂直線間の範囲であることを特徴とする請求項１記載の生体電気インピーダンス測定装置。
【請求項５】
前記ガイド位置決め部は、前記上前腸骨棘を垂直下方向及び胴側部回り方向に押当しながらガイド位置決めするガイド位置決め面を有し、
前記胴部押当体は、前記ガイド位置決め面によりガイド位置決めした際に、前記腸骨稜前後を通る垂直線間の範囲かつ肋骨最下部を通る水平線から腸骨稜上縁を通る水平線までの範囲にある身体部位に押し当たる押当面を有するとともに、前記押当面と対向する側に前記手接触部を設けたことを特徴とする請求項４記載の生体電気インピーダンス測定装置。
【請求項６】
前記基準ポイントとなる身体部位が、腸骨稜上縁及び上前腸骨棘であり、
前記上前腸骨棘を通る垂直線から胴側部回り方向に上後腸骨棘を通る垂直線までの範囲が、上前腸骨棘を通る垂直線から胴側部回り方向に腸骨稜上縁を通る垂直線までの範囲であることを特徴とする請求項１記載の生体電気インピーダンス測定装置。
【請求項７】
前記ガイド位置決め部は、前記腸骨稜上縁を垂直下方向に及び前記上前腸骨棘を胴側部回り方向に押当しながらガイド位置決めするガイド位置決め面を有し、
前記胴部押当体は、前記ガイド位置決め面によりガイド位置決めされた際に、前記上前腸骨棘を通る垂直線から胴側部回り方向に腸骨稜上縁を通る垂直線までの範囲かつ肋骨最下部を通る水平線から腸骨稜上縁を通る水平線までの範囲にある身体部位に押し当たる押当面を有するとともに、前記押当面と対向する側に前記手接触部を設けたことを特徴とする請求項６記載の生体電気インピーダンス測定装置。
【請求項８】
前記基準ポイントとなる身体部位が、腸骨稜上縁及び上前腸骨棘であり、
前記上前腸骨棘を通る垂直線から胴側部回り方向に上後腸骨棘を通る垂直線までの範囲が、腸骨稜前後を通る垂直線間の範囲であることを特徴とする請求項１記載の生体電気インピーダンス測定装置。
【請求項９】
前記ガイド位置決め部は、前記腸骨稜上縁を垂直下方向に及び前記上前腸骨棘を胴側部回り方向に押当しながらガイド位置決めするガイド位置決め面を有し、
前記胴部押当体は、前記ガイド位置決め面によりガイド位置決めされた際に、前記腸骨稜前後を通る垂直線間の範囲かつ肋骨最下部を通る水平線から腸骨稜上縁を通る水平線までの範囲にある身体部位に押し当たる押当面を有するとともに、前記押当面と対向する側に前記手接触部を設けたことを特徴とする請求項８記載の生体電気インピーダンス測定装置。
【請求項１０】
前記基準ポイントとなる身体部位が、上前腸骨棘及び臍であり、
前記上前腸骨棘を通る垂直線から胴側部回り方向に上後腸骨棘を通る垂直線までの範囲が、上前腸骨棘を通る垂直線から胴側部回り方向に腸骨稜上縁を通る垂直線までの範囲であることを特徴とする請求項１記載の生体電気インピーダンス測定装置。
【請求項１１】
前記ガイド位置決め部は、前記上前腸骨棘を垂直下方向に押当しながらガイド位置決めするガイド位置決め面及び前記臍を目印として胴側部回り方向に規制するガイド位置決めマークを有し、
前記胴部押当体は、前記ガイド位置決め面及び前記ガイド位置決めマークによりガイド位置決めされた際に、前記上前腸骨棘を通る垂直線から胴側部回り方向に腸骨稜上縁を通る垂直線までの範囲かつ肋骨最下部を通る水平線から腸骨稜上縁を通る水平線までの範囲にある身体部位に押し当たる押当面を有するとともに、前記押当面と対向する側に前記手接触部を設けたことを特徴とする請求項１０記載の生体電気インピーダンス測定装置。
【請求項１２】
前記基準ポイントとなる身体部位が、上前腸骨棘及び臍であり、
前記上前腸骨棘を通る垂直線から胴側部回り方向に上後腸骨棘を通る垂直線までの範囲が、腸骨稜前後を通る垂直線間の範囲であることを特徴とする請求項１記載の生体電気インピーダンス測定装置。
【請求項１３】
前記ガイド位置決め部は、前記上前腸骨棘を垂直下方向に押当しながらガイド位置決めするガイド位置決め面及び前記臍を目印として胴側部回り方向に規制するガイド位置決めマークを有し、
前記胴部押当体は、前記ガイド位置決め面及び前記ガイド位置決めマークによりガイド位置決めされた際に、前記腸骨稜前後を通る垂直線間の範囲かつ肋骨最下部を通る水平線から腸骨稜上縁を通る水平線までの範囲にある身体部位に押し当たる押当面を有するとともに、前記押当面と対向する側に前記手接触部を設けたことを特徴とする請求項１２記載の生体電気インピーダンス測定装置。
【請求項１４】
前記基準ポイントとなる身体部位が、腸骨稜上縁及び臍であり、
前記上前腸骨棘を通る垂直線から胴側部回り方向に上後腸骨棘を通る垂直線までの範囲が、上前腸骨棘を通る垂直線から胴側部回り方向に腸骨稜上縁を通る垂直線までの範囲であることを特徴とする請求項１記載の生体電気インピーダンス測定装置。
【請求項１５】
前記ガイド位置決め部は、前記腸骨稜上縁を垂直下方向に押当しながらガイド位置決めするガイド位置決め面及び前記臍を目印として胴側部回り方向に規制するガイド位置決めマークを有し、
前記胴部押当体は、前記ガイド位置決め面及びガイド位置決めマークによりガイド位置決めされた際に、前記上前腸骨棘を通る垂直線から胴側部回り方向に腸骨稜上縁を通る垂直線までの範囲かつ肋骨最下部を通る水平線から腸骨稜上縁を通る水平線までの範囲にある身体部位に押し当たる押当面を有するとともに、前記押当面と対向する側に前記手接触部を設けたことを特徴とする請求項１４記載の生体電気インピーダンス測定装置。
【請求項１６】
前記基準ポイントとなる身体部位が、腸骨稜上縁及び臍であり、
前記上前腸骨棘を通る垂直線から胴側部回り方向に上後腸骨棘を通る垂直線までの範囲が、腸骨稜前後を通る垂直線間の範囲であることを特徴とする請求項１記載の生体電気インピーダンス測定装置。
【請求項１７】
前記ガイド位置決め部は、前記腸骨稜上縁を垂直下方向に押当しながらガイド位置決めするガイド位置決め面及び前記臍を目印として胴側部回り方向に規制するガイド位置決めマークを有し、
前記胴部押当体は、前記ガイド位置決め面及びガイド位置決めマークによりガイド位置決めされた際に、前記腸骨稜前後を通る垂直線間の範囲かつ肋骨最下部を通る水平線から腸骨稜上縁を通る水平線までの範囲にある身体部位に押し当たる押当面を有するとともに、前記押当面と対向する側に前記手接触部を設けたことを特徴とする請求項１６記載の生体電気インピーダンス測定装置。
【請求項１８】
前記手接触部は、親指と人差し指との間に挟むことができる幅を短手、親指と人差し指との間に挟むことができない幅を長手とする長短形状を成し、前記胴部押当体は、前記ガイド位置決め部によりガイド位置決めした際に、前記長短形状の長手側が水平となるように前記手接触部を設けたことを特徴とする請求項１、２、３、６、７、１０、１１、１４又は１５に記載の生体電気インピーダンス測定装置。
【請求項１９】
前記手接触部は、親指と人差し指との間に挟むことができる幅を短手、親指と人差し指との間に挟むことができない幅を長手とする長短形状を成し、前記胴部押当体は、前記ガイド位置決め部によりガイド位置決めした際に、前記長短形状の長手腹部側が水平より上、長手胴側部側が水平より下となるように前記手接触部を設けたことを特徴とする請求項１、２、３、６、７、１０、１１、１４又は１５に記載の生体電気インピーダンス測定装置。
【請求項２０】
前記手接触部は、親指と人差し指との間に挟むことができる幅を短手、親指と人差し指との間に挟むことができない幅を長手とする長短形状を成し、前記胴部押当体は、前記ガイド位置決め部によりガイド位置決めした際に、前記長短形状の長手側が垂直となるように前記手接触部を設けたことを特徴とする請求項１、２、３、６、７、１０、１１、１４又は１５に記載の生体電気インピーダンス測定装置。
【請求項２１】
前記押当面は、胴回り方向にほぼ胴回りに沿った曲面を成すことを特徴とする請求項３、５、７、９、１１、１３、１５、１７、１８、１９又は２０に記載の生体電気インピーダンス測定装置。
【請求項２２】
前記胴部押当体は、前記手接触部を左右に有し、前記左右の間に、胴回りに応じて前記押当面が接触するように可撓する可撓部を有することを特徴とする請求項３、５、７、９、１１、１３、１５、１７、１８、１９、２０又は２１に記載の生体電気インピーダンス測定装置。
【請求項２３】
前記押当面に滑り防止部を有することを特徴とする請求項３、５、７、９、１１、１３、１５、１７、１８、１９、２０、２１又は２２に記載の生体電気インピーダンス測定装置。
【発明の詳細な説明】
【技術分野】
【０００１】
本発明は、電極を有する手接触部を備えた生体電気インピーダンス測定装置に関する。
【背景技術】
【０００２】
近年、所定の身体部位間に電流を流し、所定の身体部位間の電位差を検出することによって、所定の身体部位の生体電気インピーダンスを測定し、この測定した所定の身体部位の生体電気インピーダンスに基づいて体脂肪率、筋肉量等の体組成情報を推定する生体電気インピーダンス測定装置が普及してきた。
【０００３】
そして、その生体電気インピーダンス測定装置には、電極を有する手接触部を備えた種々の形態のものが開示され、また提供されている。
【０００４】
例えば、電極（電流印加用電極、電圧測定用電極）を有する手接触部（左右のグリップ部）を握って身体前方の所定位置まで持ち上げて測定する形態の生体電気インピーダンス測定装置が、健康管理指針アドバイス装置として特許文献１に示されている。
【０００５】
また、電極（供給側電極、検出側電極）を有する手接触部（左右のハンドル）を握って身体腹部（おなか）に押し当てて測定する形態の生体電気インピーダンス測定装置が、腹部体脂肪計として特許文献２に示されている。
【０００６】
更に、電極（電流供給電極、電圧測定電極）を有する手接触部（左右のハンドグリップ）を握って両手を身体の横にフリーに下ろして測定する形態の生体電気インピーダンス測定装置が、体組成計として特許文献３に示されている。
【特許文献１】特開２００３−２２００４８号公報
【特許文献２】特開２０００−１５２９１９号公報
【特許文献３】特開２００５−２５３７２３号公報
【発明の開示】
【発明が解決しようとする課題】
【０００７】
しかしながら、上記の特許文献１に示される健康管理指針アドバイス装置は、測定精度に影響を及ぼす脇の下の接触が起こらないような身体前方の所定位置まで左右のグリップ部を持ち上げた姿勢を測定中維持するのが容易でないという問題があった。
【０００８】
また、特許文献２に示される腹部体脂肪計は、左右のハンドルを握っておなかに押し当てる際に感覚に依存するため、測定精度に影響を及ぼす姿勢を、測定中に安定させ、また測定毎に同じように確保するのが容易でないという問題があった。
【０００９】
更に、特許文献３に示される体組成計は、左右のハンドグリップを握って両手を身体の横にフリーに下ろすため、測定精度に影響を及ぼす脇の下の接触が起こるという問題があった。また、この問題を回避するために、脇の下の接触が起こらないような姿勢を測定中維持するのは、容易でないという別の問題を生じた。
【００１０】
そこで、本発明は、上記のような従来の問題点を解決することを目的とするもので、脇の下の接触を回避し、一定の測定姿勢の確保や維持を容易にすることができる生体電気インピーダンス測定装置を提供することを課題とする。
【課題を解決するための手段】
【００１１】
上記の目的を達成するために、本発明の生体電気インピーダンス測定装置は、電極を有する手接触部と、基準ポイントとなる身体部位にガイド位置決めするガイド位置決め部とを有し、前記ガイド位置決め部によりガイド位置決めした際に、前記手接触部が上前腸骨棘を通る垂直線から胴側部回り方向に上後腸骨棘を通る垂直線までの範囲かつ肋骨最下部を通る水平線から腸骨稜上縁を通る水平線までの範囲にある身体部位に定着するように形成した胴部押当体を備える。
【００１２】
また、前記基準ポイントとなる身体部位が、上前腸骨棘であり、前記上前腸骨棘を通る垂直線から胴側部回り方向に上後腸骨棘を通る垂直線までの範囲が、上前腸骨棘を通る垂直線から胴側部回り方向に腸骨稜上縁を通る垂直線までの範囲であることを特徴とする。
【００１３】
また、前記ガイド位置決め部は、前記上前腸骨棘を垂直下方向及び胴側部回り方向に押当しながらガイド位置決めするガイド位置決め面を有し、前記胴部押当体は、前記ガイド位置決め面によりガイド位置決めした際に、前記上前腸骨棘を通る垂直線から胴側部回り方向に腸骨稜上縁を通る垂直線までの範囲かつ肋骨最下部を通る水平線から腸骨稜上縁を通る水平線までの範囲にある身体部位に押し当たる押当面を有するとともに、前記押当面と対向する側に前記手接触部を設けたことを特徴とする。
【００１４】
また、前記基準ポイントとなる身体部位が、上前腸骨棘であり、前記上前腸骨棘を通る垂直線から胴側部回り方向に上後腸骨棘を通る垂直線までの範囲が、腸骨稜前後を通る垂直線間の範囲であることを特徴とする。
【００１５】
また、前記ガイド位置決め部は、前記上前腸骨棘を垂直下方向及び胴側部回り方向に押当しながらガイド位置決めするガイド位置決め面を有し、前記胴部押当体は、前記ガイド位置決め面によりガイド位置決めした際に、前記腸骨稜前後を通る垂直線間の範囲かつ肋骨最下部を通る水平線から腸骨稜上縁を通る水平線までの範囲にある身体部位に押し当たる押当面を有するとともに、前記押当面と対向する側に前記手接触部を設けたことを特徴とする。
【００１６】
また、前記基準ポイントとなる身体部位が、腸骨稜上縁及び上前腸骨棘であり、前記上前腸骨棘を通る垂直線から胴側部回り方向に上後腸骨棘を通る垂直線までの範囲が、上前腸骨棘を通る垂直線から胴側部回り方向に腸骨稜上縁を通る垂直線までの範囲であることを特徴とする。
【００１７】
また、前記ガイド位置決め部は、前記腸骨稜上縁を垂直下方向に及び前記上前腸骨棘を胴側部回り方向に押当しながらガイド位置決めするガイド位置決め面を有し、前記胴部押当体は、前記ガイド位置決め面によりガイド位置決めされた際に、前記上前腸骨棘を通る垂直線から胴側部回り方向に腸骨稜上縁を通る垂直線までの範囲かつ肋骨最下部を通る水平線から腸骨稜上縁を通る水平線までの範囲にある身体部位に押し当たる押当面を有するとともに、前記押当面と対向する側に前記手接触部を設けたことを特徴とする。
【００１８】
また、前記基準ポイントとなる身体部位が、腸骨稜上縁及び上前腸骨棘であり、前記上前腸骨棘を通る垂直線から胴側部回り方向に上後腸骨棘を通る垂直線までの範囲が、腸骨稜前後を通る垂直線間の範囲であることを特徴とする。
【００１９】
また、前記ガイド位置決め部は、前記腸骨稜上縁を垂直下方向に及び前記上前腸骨棘を胴側部回り方向に押当しながらガイド位置決めするガイド位置決め面を有し、前記胴部押当体は、前記ガイド位置決め面によりガイド位置決めされた際に、前記腸骨稜前後を通る垂直線間の範囲かつ肋骨最下部を通る水平線から腸骨稜上縁を通る水平線までの範囲にある身体部位に押し当たる押当面を有するとともに、前記押当面と対向する側に前記手接触部を設けたことを特徴とする。
【００２０】
また、前記基準ポイントとなる身体部位が、上前腸骨棘及び臍であり、前記上前腸骨棘を通る垂直線から胴側部回り方向に上後腸骨棘を通る垂直線までの範囲が、上前腸骨棘を通る垂直線から胴側部回り方向に腸骨稜上縁を通る垂直線までの範囲であることを特徴とする。
【００２１】
また、前記ガイド位置決め部は、前記上前腸骨棘を垂直下方向に押当しながらガイド位置決めするガイド位置決め面及び前記臍を目印として胴側部回り方向に規制するガイド位置決めマークを有し、前記胴部押当体は、前記ガイド位置決め面及び前記ガイド位置決めマークによりガイド位置決めされた際に、前記上前腸骨棘を通る垂直線から胴側部回り方向に腸骨稜上縁を通る垂直線までの範囲かつ肋骨最下部を通る水平線から腸骨稜上縁を通る水平線までの範囲にある身体部位に押し当たる押当面を有するとともに、前記押当面と対向する側に前記手接触部を設けたことを特徴とする。
【００２２】
また、前記基準ポイントとなる身体部位が、上前腸骨棘及び臍であり、前記上前腸骨棘を通る垂直線から胴側部回り方向に上後腸骨棘を通る垂直線までの範囲が、腸骨稜前後を通る垂直線間の範囲であることを特徴とする。
【００２３】
また、前記ガイド位置決め部は、前記上前腸骨棘を垂直下方向に押当しながらガイド位置決めするガイド位置決め面及び前記臍を目印として胴側部回り方向に規制するガイド位置決めマークを有し、前記胴部押当体は、前記ガイド位置決め面及び前記ガイド位置決めマークによりガイド位置決めされた際に、前記腸骨稜前後を通る垂直線間の範囲かつ肋骨最下部を通る水平線から腸骨稜上縁を通る水平線までの範囲にある身体部位に押し当たる押当面を有するとともに、前記押当面と対向する側に前記手接触部を設けたことを特徴とする
【００２４】
また、前記基準ポイントとなる身体部位が、腸骨稜上縁及び臍であり、前記上前腸骨棘を通る垂直線から胴側部回り方向に上後腸骨棘を通る垂直線までの範囲が、上前腸骨棘を通る垂直線から胴側部回り方向に腸骨稜上縁を通る垂直線までの範囲であることを特徴とする。
【００２５】
また、前記ガイド位置決め部は、前記腸骨稜上縁を垂直下方向に押当しながらガイド位置決めするガイド位置決め面及び前記臍を目印として胴側部回り方向に規制するガイド位置決めマークを有し、前記胴部押当体は、前記ガイド位置決め面及びガイド位置決めマークによりガイド位置決めされた際に、前記上前腸骨棘を通る垂直線から胴側部回り方向に腸骨稜上縁を通る垂直線までの範囲かつ肋骨最下部を通る水平線から腸骨稜上縁を通る水平線までの範囲にある身体部位に押し当たる押当面を有するとともに、前記押当面と対向する側に前記手接触部を設けたことを特徴とする。
【００２６】
また、前記基準ポイントとなる身体部位が、腸骨稜上縁及び臍であり、前記上前腸骨棘を通る垂直線から胴側部回り方向に上後腸骨棘を通る垂直線までの範囲が、腸骨稜前後を通る垂直線間の範囲であることを特徴とする。
【００２７】
また、前記ガイド位置決め部は、前記腸骨稜上縁を垂直下方向に押当しながらガイド位置決めするガイド位置決め面及び前記臍を目印として胴側部回り方向に規制するガイド位置決めマークを有し、前記胴部押当体は、前記ガイド位置決め面及びガイド位置決めマークによりガイド位置決めされた際に、前記腸骨稜前後を通る垂直線間の範囲かつ肋骨最下部を通る水平線から腸骨稜上縁を通る水平線までの範囲にある身体部位に押し当たる押当面を有するとともに、前記押当面と対向する側に前記手接触部を設けたことを特徴とする。
【００２８】
また、前記手接触部は、親指と人差し指との間に挟むことができる幅を短手、親指と人差し指との間に挟むことができない幅を長手とする長短形状を成し、前記胴部押当体は、前記ガイド位置決め部によりガイド位置決めした際に、前記長短形状の長手側が水平となるように前記手接触部を設けたことを特徴とする。
【００２９】
また、前記手接触部は、親指と人差し指との間に挟むことができる幅を短手、親指と人差し指との間に挟むことができない幅を長手とする長短形状を成し、前記胴部押当体は、前記ガイド位置決め部によりガイド位置決めした際に、前記長短形状の長手腹部側が水平より上、長手胴側部側が水平より下となるように前記手接触部を設けたことを特徴とする。
【００３０】
また、前記手接触部は、親指と人差し指との間に挟むことができる幅を短手、親指と人差し指との間に挟むことができない幅を長手とする長短形状を成し、前記胴部押当体は、前記ガイド位置決め部によりガイド位置決めした際に、前記長短形状の長手側が垂直となるように前記手接触部を設けたことを特徴とする。
【００３１】
また、前記押当面は、胴回り方向にほぼ胴回りに沿った曲面を成すことを特徴とする。
【００３２】
また、前記胴部押当体は、前記手接触部を左右に有し、前記左右の間に、胴回りに応じて前記押当面が接触するように可撓する可撓部を有することを特徴とする。
【００３３】
また、前記押当面に滑り防止部を有することを特徴とする。
【発明の効果】
【００３４】
本発明の生体電気インピーダンス測定装置は、ガイド位置決め部により基準ポイントとなる身体部位にガイド位置決めした際に、手接触部が上前腸骨棘を通る垂直線から胴側部回り方向に上後腸骨棘を通る垂直線までの範囲かつ肋骨最下部を通る水平線から腸骨稜上縁を通る水平線までの範囲にある身体部位に定着するように胴部押当体を形成しているので、上前腸骨棘を通る垂直線から胴側部回り方向に上後腸骨棘を通る垂直線までの範囲かつ肋骨最下部を通る水平線から腸骨稜上縁を通る水平線までの範囲にある身体部位に手を配置させることができる。したがって、毎回一定の測定姿勢の確保や維持を容易としつつ、脇の下の接触を回避することができる。
【００３５】
また、基準ポイントとなる身体部位を、上前腸骨棘、腸骨稜上縁と上前腸骨棘、上前腸骨棘と臍、又は腸骨稜上縁と臍とし、手接触部の定着させる身体部位を、上前腸骨棘を通る垂直線から胴側部回り方向に腸骨稜上縁を通る垂直線までの範囲かつ肋骨最下部を通る水平線から腸骨稜上縁を通る水平線までの範囲、又は腸骨稜前後を通る垂直線間の範囲かつ肋骨最下部を通る水平線から腸骨稜上縁を通る水平線までの範囲とすることで、一定の測定姿勢の確保や維持を容易としつつ、脇の下の接触を回避することが確実にできる。
【００３６】
また、ガイド位置決め部を、上前腸骨棘や腸骨稜上縁に押当しながらガイド位置決めするガイド位置決め面や、臍を目印として胴側部回り方向に規制するガイド位置決めマークとしたことで一定の測定姿勢の確保を確実に容易とし、押当面と対向する側に手接触部を設けたことで、一定の測定姿勢の維持を確実に容易とすることができる。
【００３７】
また、手接触部の長手側を水平となるように設けたことで、脇の下の接触を回避することが確実にできる。
【００３８】
また、手接触部の長手腹部側を水平より上、長手胴側部側を水平より下となるように設けたことで、脇の下の接触を回避することがより確実にできる。
【００３９】
また、手接触部の長手側を水平となるように設けたことで、脇の下の接触を回避することが更により確実にできる。
【００４０】
また、押当面が胴回りに沿った曲面を成したり、可撓部や滑り防止部有したりすることで、一定の測定姿勢の確保や維持をより容易とすることができる。
【発明を実施するための最良の形態】
【００４１】
本発明の生体電気インピーダンス測定装置は、手接触部とガイド位置決め部とを有する胴部押当体を少なくとも含んで構成する。
【００４２】
手接触部は、生体に電流したり、生体に生じた電位差を検出したりするための電極（電流印加用電極及び電圧測定用電極のうちの少なくとも一方）を有し、この電極に手を接触しつつ握ったり、押し当てたりする部分である。
【００４３】
ガイド位置決め部は、基準ポイントとなる身体部位にガイド位置決めする部分である。ここで、基準ポイントとなる身体部位は、上前腸骨棘、腸骨稜上縁、臍とすることが特に良い。
【００４４】
胴部押当体は、ガイド位置決め部によりガイド位置決めした際に、手接触部が上前腸骨棘を通る垂直線Ｆｒ、Ｆｌ（図１１（ａ）参照）から胴側部回り方向に上後腸骨棘を通る垂直線Ｂｒ、Ｂｌ（図１１（ｄ）参照）までの範囲かつ肋骨最下部を通る水平線Ｈｕ（図１１参照）から腸骨稜上縁を通る水平線Ｈｌ（図１１参照）までの範囲にある身体部位（図１１の斜線部分）に定着するように、手接触部及びガイド位置決め部と一体的になって形成するとともに、生体電気インピーダンスを測定するために必要な電気系統各部（電流発生部、電圧検出部、記憶部、演算部、制御部、表示部、入力部、通信部など）を備える。なお、生体電気インピーダンスを測定するために必要な各部は、胴部押当体とは別の部分に備えても良い。
【００４５】
このように構成した生体電気インピーダンス測定装置によると、上前腸骨棘Ｐｒ、Ｐｌを通る垂直線から胴側部回り方向に上後腸骨棘Ｑｒ、Ｑｌを通る垂直線までの範囲かつ肋骨最下部Ｔｒ、Ｔｌを通る水平線から腸骨稜上縁Ｕｒ、Ｕｌを通る水平線までの範囲にある身体部位に手を配置させることができるため、脇の下の接触を回避することができる。また、基準ポイントとなる身体部位にガイド位置決めさせることができるため、毎回、同じような姿勢を容易に確保かつ維持しながら測定することができる。
【００４６】
以下、上述した形態における実施例について具体的に説明する。
【実施例１】
【００４７】
まず、図１に示す外観図、図２に示す測定状態図を用いて、実施例１としての生体電気インピーダンス測定装置（ガイド位置決め部が、基準ポイントとなる身体部位を上前腸骨棘とし、手接触部が、上前腸骨棘を通る垂直線から胴側部回り方向に腸骨稜上縁を通る垂直線までの範囲かつ肋骨最下部を通る水平線から腸骨稜上縁を通る水平線までの範囲にある身体部位に定着する形態）の具体的な構成について説明する。
【００４８】
実施例１としての生体電気インピーダンス測定装置は、図１の外観図のように、左右の胴部押当体１、２から構成する。
【００４９】
左の胴部押当体１は、ガイド位置決め部３、押当面４、手接触部５及び電気系統各部を備える。
【００５０】
ガイド位置決め部３は、左の上前腸骨棘Ｐｌを、垂直下方向に押当しながらガイド位置決めするガイド位置決め面３ａと、胴側部回り方向に押当しながらガイド位置決めするガイド位置決め面３ｂとを有する。
【００５１】
押当面４は、ガイド位置決め面３ａ、３ｂによりガイド位置決めした際に、左の上前腸骨棘を通る垂直線Ｆｌ（図１１（ａ）参照）から胴側部回り方向に左の腸骨稜上縁を通る垂直線Ｓｌ（図１１（ｃ）参照）までの範囲かつ肋骨最下部を通る水平線Ｈｕ（図１１参照）から腸骨稜上縁を通る水平線Ｈｌ（図１１参照）までの範囲にある身体部位に押し当たる。
【００５２】
手接触部５は、電流印加用電極５ａ及び電圧測定用電極５ｂを有し、グリップ形状（親指と人差し指との間に挟むことができる幅を短手、親指と人差し指との間に挟むことができない幅を長手とする長短形状であって、握ることが可能な長短形状）を成し、押当面４と対向する面に、長短形状の長手側が水平となるように設けられる。
【００５３】
電気系統各部は、生体電気インピーダンスを測定するために必要な電流発生部、電圧検出部、記憶部、演算部、制御部、入力部６、通信部などから成る。
【００５４】
右の胴部押当体２は、ガイド位置決め部７、押当面８、手接触部９、電気系統各部を備える。
【００５５】
ガイド位置決め部７は、右の上前腸骨棘Ｐｒを、垂直下方向に押当しながらガイド位置決めするガイド位置決め面７ａと、胴側部回り方向に押当しながらガイド位置決めするガイド位置決め面７ｂとを有する。
【００５６】
押当面８は、ガイド位置決め面７ａ、７ｂによりガイド位置決めした際に、右の上前腸骨棘を通る垂直線Ｆｒ（図１１（ａ）参照）から胴側部回り方向に右の腸骨稜上縁を通る垂直線Ｓｒ（（図１１（ｂ）参照））までの範囲かつ肋骨最下部を通る水平線Ｈｕ（図１１参照）から腸骨稜上縁を通る水平線Ｈｌ（図１１参照）までの範囲にある身体部位に押し当たる。
【００５７】
手接触部９は、電流印加用電極９ａ及び電圧測定用電極９ｂを有し、グリップ形状を成し、押当面８と対向する面に設ける。
【００５８】
電気系統各部は、生体電気インピーダンスを測定するために必要な電流発生部、電圧検出部、記憶部、演算部、制御部、表示部１０、通信部などから成る。
【００５９】
実施例１の生体電気インピーダンス測定装置によると、図２の測定状態図のように、上前腸骨棘Ｐｌ、Ｐｒを垂直下方向及び胴側部回り方向に押当しながらガイド位置決めすることにより、押当面４、８が上前腸骨棘を通る垂直線から胴側部回り方向に腸骨稜上縁Ｕｌ、Ｕｒを通る垂直線までの範囲かつ肋骨最下部Ｔｌ、Ｔｒを通る水平線から腸骨稜上縁を通る水平線までの範囲にある身体部位に押し当たり、この押当面４、８と対向する面に設けられた手接触部５、９も上前腸骨棘を通る垂直線から胴側部回り方向に腸骨稜上縁を通る垂直線までの範囲かつ肋骨最下部を通る水平線から腸骨稜上縁を通る水平線までの範囲にある身体部位に定着することから、脇の下の接触を回避し、一定の測定姿勢の確保や維持を容易にすることができる。
【００６０】
なお、上述した実施例１は、図３に示す外観図のように、電気系統各部（電流発生部、電圧検出部、記憶部、演算部、制御部、表示部１１、入力部１２など）を設けた操作部１３を左右の胴部押当体１、２の間に設けてもよい。左右の胴部押当体１、２のうちいずれか一方のガイド位置決め部３又は７を上前腸骨棘Ｐｒ、Ｐｌを垂直下方向及び胴側部回り方向に押当しながらガイド位置決めすることにより同様に実施可能である。
【００６１】
このとき、押当面４、８は胴回り方向にほぼ胴回りに沿った曲面としたり、この押当面４、８に滑り防止部（例えば、高摩擦性の軟質性ゴム材、面ファスナーのフック側）１４、１５を設けたり、この押当面４、８が胴回りに応じて接触するように可撓する可撓部１６、１７を左右の胴部押当体と操作部との間に設けたりしてもよい。より安定した状態で手接触部を定着させることができる。
【００６２】
また、上述した実施例１では、手接触部５、９は、長手側が水平となるように設けたが、長短形状の長手腹部側が水平より上かつ長手胴側部側が水平より下（図１０（ａ）参照）、又は長短形状の長手側が垂直（図１０（ｂ）参照）となるように設けてもよい。
【実施例２】
【００６３】
まず、図４に示す外観図、図５に示す測定状態図を用いて、実施例２としての生体電気インピーダンス測定装置（ガイド位置決め部が、基準ポイントとなる身体部位を上前腸骨棘とし、手接触部が、腸骨稜前後を通る垂直線間の範囲かつ肋骨最下部を通る水平線から腸骨稜上縁を通る水平線までの範囲にある身体部位に定着する形態）の具体的な構成について説明する。
【００６４】
実施例２としての生体電気インピーダンス測定装置は、図４の外観図及び図５の測定状態図のように、本体３１と、左右の胴部押当体３２、３３と、本体３１及び左右の胴部押当体３２、３３を接続する左右のコード３４、３５とから構成する。
【００６５】
本体３１は、公知であるところの体重計の載せ台３６に電流印加用電極３７及び電圧測定用電極３８を設け、生体電気インピーダンスを測定するために必要な電気系統各部（電流発生部、電圧検出部、記憶部、演算部、制御部、表示部３９、入力部４０など）を備える。
【００６６】
左の胴部押当体３２は、ガイド位置決め部４１、押当面４２及び手接触部４３を備える。
【００６７】
ガイド位置決め部４１は、左の上前腸骨棘Ｐｌを、垂直下方向に押当しながらガイド位置決めするガイド位置決め面４１ａと、胴側部回り方向に押当しながらガイド位置決めするガイド位置決め面４１ｂとを有する。
【００６８】
押当面４２は、ガイド位置決め面４１ａ、４１ｂによりガイド位置決めした際に、左の腸骨稜前後を通る垂直線Ｌｆ、Ｌｂ間（図１１（ｃ）参照）の範囲かつ肋骨最下部を通る水平線Ｈｕ（図１１参照）から腸骨稜上縁を通る水平線Ｈｌ（図１１参照）までの範囲にある身体部位に押し当たる。
【００６９】
手接触部４３は、電流印加用電極４３ａ及び電圧測定用電極４３ｂを有し、グリップ形状を成し、押当面４２と対向する面に設けられる。
【００７０】
右の胴部押当体３３は、ガイド位置決め部４４、押当面４５、手接触部４６を備える。
【００７１】
ガイド位置決め部４４は、右の上前腸骨棘Ｐｒを、垂直下方向に押当しながらガイド位置決めするガイド位置決め面４４ａと、胴側部回り方向に押当しながらガイド位置決めするガイド位置決め面４４ｂとを有する。
【００７２】
押当面４５は、胴回り方向にほぼ胴回りに沿った曲面を成し、ガイド位置決め面４４ａ、４４ｂによりガイド位置決めした際に、右の腸骨稜前後を通る垂直線Ｒｆ、Ｒｂ間（図１１（ｂ）参照）の範囲かつ肋骨最下部を通る水平線Ｈｕ（図１１参照）から腸骨稜上縁を通る水平線Ｈｌ（図１１参照）までの範囲にある身体部位に押し当たる。
【００７３】
手接触部４６は、電流印加用電極４６ａ及び電圧測定用電極４６ｂを有し、グリップ形状を成し、押当面４５と対向する面に設けられる。
【００７４】
実施例２の生体電気インピーダンス測定装置によると、図５の測定状態図のように、上前腸骨棘Ｐｌ、Ｐｒを垂直下方向及び胴側部回り方向に押当しながらガイド位置決めすることにより、押当面４２、４５が腸骨稜前後Ｅｆｌ、Ｅｆｒ、Ｅｂｌ、Ｅｂｒを通る垂直線間の範囲かつ肋骨最下部を通る水平線から腸骨稜上縁を通る水平線までの範囲にある身体部位に押し当たり、この押当面４２、４５と対向する面に設けられた手接触部４３、４６も腸骨稜前後を通る垂直線間の範囲かつ肋骨最下部を通る水平線から腸骨稜上縁を通る水平線までの範囲にある身体部位に定着することから、脇の下の接触を回避し、容易かつ一定の測定姿勢を維持することができる。
【００７５】
なお、上述した実施例２は、図６に示す外観図のように、押当面４２、４５が胴回りに応じて接触するように可撓する可撓部４７を左右の胴部押当体３２、３３の間に設けてもよい。より安定した状態で手接触部を定着させることができる。
【００７６】
また、実施例２の形態は、ガイド位置決め部が、基準ポイントとなる身体部位を腸骨稜上縁及び上前腸骨棘とし、手接触部が、腸骨稜前後を通る垂直線間の範囲かつ肋骨最下部を通る水平線から腸骨稜上縁を通る水平線までの範囲にある身体部位に定着する形態でもある。腸骨稜上縁を垂直下方向に及び上前腸骨棘を胴側部回り方向に押当しながらガイド位置決めすることによって同様に実施可能である。
【実施例３】
【００７７】
まず、図７に示す外観図を用いて、実施例３としての生体電気インピーダンス測定装置（ガイド位置決め部が、基準ポイントとなる身体部位を腸骨稜上縁及び上前腸骨棘とし、手接触部が、上前腸骨棘を通る垂直線から胴側部回り方向に腸骨稜上縁を通る垂直線までの範囲かつ肋骨最下部を通る水平線から腸骨稜上縁を通る水平線までの範囲にある身体部位に定着する形態）の具体的な構成について説明する。
【００７８】
実施例３としての生体電気インピーダンス測定装置は、本体３１と、左右の胴部押当体５１、５２と、本体３１及び左右の胴部押当体５１、５２を接続する左右のコード５３、５４とから構成する。
【００７９】
本体３１は、実施例２において説明した構成と同じである。
【００８０】
左の胴部押当体５１は、ガイド位置決め部５５、押当面５６及び手接触部５７を備える。
【００８１】
ガイド位置決め部５５は、左の腸骨稜上縁Ｕｌ（図１１（ｃ）参照）を垂直下方向に押当しながらガイド位置決めするガイド位置決め面５５ａと、左の上前腸骨棘Ｐｌ（図１１（ａ）参照）を胴側部回り方向に押当しながらガイド位置決めするガイド位置決め面５５ｂとを有する。
【００８２】
押当面５６は、ガイド位置決め面５５ａ、５５ｂによりガイド位置決めした際に、左の上前腸骨棘を通る垂直線Ｆｌ（図１１（ａ）参照）から胴側部回り方向に左の腸骨稜上縁を通る垂直線Ｓｌ（図１１（ｃ）参照）までの範囲かつ肋骨最下部を通る水平線Ｈｕ（図１１参照）から腸骨稜上縁を通る水平線Ｈｌ（図１１参照）までの範囲にある身体部位に押し当たる。
【００８３】
手接触部５７は、電流印加用電極５７ａ及び電圧測定用電極５７ｂを有し、グリップ形状を成し、押当面５６と対向する面に、長手側が水平となるように設けられる。
【００８４】
右の胴部押当体５２は、ガイド位置決め部５８、押当面５９、手接触部６０を備える。
【００８５】
ガイド位置決め部５８は、右の腸骨稜上縁Ｕｒ（図１１（ｂ）参照）を垂直下方向に押当しながらガイド位置決めするガイド位置決め面５８ａと、右の上前腸骨棘Ｐｒ（図１１（ａ）参照）を胴側部回り方向に押当しながらガイド位置決めするガイド位置決め面５８ｂとを有する。
【００８６】
押当面５９は、ガイド位置決め面５８ａ、５８ｂによりガイド位置決めした際に、右の上前腸骨棘を通る垂直線Ｆｒ（図１１（ａ）参照）から胴側部回り方向に右の腸骨稜上縁を通る垂直線Ｓｒ（図１１（ｂ）参照）までの範囲かつ肋骨最下部を通る水平線Ｈｕ（図１１参照）から腸骨稜上縁を通る水平線Ｈｌ（図１１参照）までの範囲にある身体部位に押し当たる。
【００８７】
手接触部６０は、電流印加用電極６０ａ及び電圧測定用電極６０ｂを有し、グリップ形状を成し、押当面５９と対向する面に設けられる。
【００８８】
実施例３の生体電気インピーダンス測定装置によると、腸骨稜上縁Ｕｌ、Ｕｒを垂直下方向に及び上前腸骨棘Ｐｌ、Ｐｒを胴側部回り方向に押当しながらガイド位置決めすることにより、押当面５６、５９が上前腸骨棘を通る垂直線から胴側部回り方向に腸骨稜上縁Ｕｌ、Ｕｒを通る垂直線までの範囲かつ肋骨最下部Ｔｌ、Ｔｒを通る水平線から腸骨稜上縁を通る水平線までの範囲にある身体部位に押し当たり、この押当面５６、５９と対向する面に設けられた手接触部５７、６０も上前腸骨棘を通る垂直線から胴側部回り方向に腸骨稜上縁を通る垂直線までの範囲かつ肋骨最下部を通る水平線から腸骨稜上縁を通る水平線までの範囲にある身体部位に定着することから、脇の下の接触を回避し、容易かつ一定の測定姿勢を維持することができる。
【００８９】
なお、上述した実施例３では、手接触部５７、６０は、長手側が水平となるように設けられたが、長短形状の長手腹部側が水平より上かつ長手胴側部側が水平より下、又は長短形状の長手側が垂直となるように設けられてもよい。
【実施例４】
【００９０】
まず、図８に示す外観図を用いて、実施例４としての生体電気インピーダンス測定装置（ガイド位置決め部が、基準ポイントとなる身体部位を上前腸骨棘及び臍とし、手接触部が、上前腸骨棘を通る垂直線から胴側部回り方向に腸骨稜上縁を通る垂直線までの範囲かつ肋骨最下部を通る水平線から腸骨稜上縁を通る水平線までの範囲にある身体部位に定着する形態）の具体的な構成について説明する。
【００９１】
実施例４としての生体電気インピーダンス測定装置は、図８の外観図のように、ガイド位置決め部８２（８２ａ、８２ｂ）、手接触部８３、押当面８４及び電気系統各部を備えた胴部押当体８１から構成する。
【００９２】
ガイド位置決め部８２（８２ａ、８２ｂ）は、左右の上前腸骨棘Ｐｌ、Ｐｒを垂直下方向に押当しながらガイド位置決めするガイド位置決め面８２ａと、臍Ｚを目印として胴側部回り方向に規制するガイド位置決めマーク８２ｂとを有する。
【００９３】
押当面８４は、胴回り方向にほぼ胴回りに沿った曲面を成し、ガイド位置決め面８２ａ及びガイド位置決めマーク８２ｂによりガイド位置決めした際に、左の上前腸骨棘を通る垂直線Ｆｌ（図１１（ａ）参照）から胴側部回り方向に左の腸骨稜上縁を通る垂直線Ｓｌ（図１１（ｃ）参照）までの範囲かつ肋骨最下部を通る水平線Ｈｕ（図１１参照）から腸骨稜上縁を通る水平線Ｈｌ（図１１参照）までの範囲、及び右の上前腸骨棘を通る垂直線Ｆｒ（図１１（ａ）参照）から胴側部回り方向に右の腸骨稜上縁を通る垂直線Ｓｒ（図１１（ｂ）参照）までの範囲かつ肋骨最下部を通る水平線Ｈｕ（図１１参照）から腸骨稜上縁を通る水平線Ｈｌ（図１１参照）までの範囲にある身体部位に押し当たる。
【００９４】
手接触部８３は、電流印加用電極８３ａ及び電圧測定用電極８３ｂを有し、長短形状（親指と人差し指との間に挟むことができる幅を短手、親指と人差し指との間に挟むことができない幅を長手とする形状）を成し、押当面８４と対向する側（左右２箇所）に、長手側が水平となるように設けられる。なお、手接触部８３は、手の平で接触するように電圧測定用電極８３ｂを配置し、親指で接触するように電流印加用電極８３ａを配置する。
【００９５】
電気系統各部は、生体電気インピーダンスを測定するために必要な公知の如き電流発生部、電圧検出部、記憶部、演算部、制御部、表示部８５、入力部、通信部などから成る。ここで、表示部８５は、視認しやすいように、押当面８４と略平行した向きとなるように設けられる。
【００９６】
実施例４の生体電気インピーダンス測定装置によると、上前腸骨棘Ｐｌ、Ｐｒを垂直下方向押し当てつつ、臍Ｚを目印として胴側部回り方向に規制しながらガイド位置決めすることにより、押当面８４が上前腸骨棘を通る垂直線Ｆｌ、Ｆｒ（図１１（ａ）参照）から胴側部回り方向に腸骨稜上縁を通る垂直線Ｓｌ、Ｓｒ（図１１（ａ）、（ｂ）参照）までの範囲かつ肋骨最下部を通る水平線Ｈｕ（図１１参照）から腸骨稜上縁を通る水平線Ｈｌ（図１１参照）までの範囲にある身体部位に押し当たり、この押当面８４と対向する側に設けられた手接触部８３も上前腸骨棘Ｐｌ、Ｐｒを通る垂直線から胴側部回り方向に腸骨稜上縁Ｕｌ、Ｕｒを通る垂直線までの範囲かつ肋骨最下部Ｔｌ、Ｔｒを通る水平線から腸骨稜上縁を通る水平線までの範囲にある身体部位に定着することから、脇の下の接触を回避し、容易かつ一定の測定姿勢を維持することができる。
【００９７】
なお、上述した実施例４では、手接触部において、手の平で接触するように電圧測定用電極を配置し、親指で接触するように電流印加用電極を配置したが、手の平で接触するように電流印加用電極を配置し、親指で接触するように電圧測定用電極を配置しても同様に実施可能である。
【００９８】
また、上述した実施例４における電流印加用電極８３ａに位置する部分は、親指が第一関節よりおくに差し込めるような穴又は凹みを形成してもよい（このとき、電流印加用電極８３ａ（親指で接触するように電圧測定用電極を配置する形態の場合には電圧測定用電極）は穴又は凹みの内壁、又は親指の基節骨がかかる部分に設ける。）。親指を引っ掛けた状態にして保持することができるので、測定中に手をすべらすことによる本装置の落下を防止することができる。
【００９９】
また、上述した実施例４では、腹部に押し当てる面に腹部接触用の電極を設けてもよい。
【０１００】
また、上述した実施例４では、表示部８５と手接触部との間に、胴回りに応じて接触するように可撓する可撓部を設けてもよい。より安定した状態で手接触部を定着させることができる。
【０１０１】
なお、上述した実施例４では、押当面８４に滑り防止部を設けてもよい。より安定した状態で手接触部を定着させることができる。
【０１０２】
また、実施例４の形態は、ガイド位置決め部が、基準ポイントとなる身体部位を腸骨稜上縁及び臍とし、手接触部が、上前腸骨棘を通る垂直線から胴側部回り方向に腸骨稜上縁を通る垂直線までの範囲かつ肋骨最下部を通る水平線から腸骨稜上縁を通る水平線までの範囲にある身体部位に定着する形態でもある。腸骨稜上縁を垂直下方向に押し当てつつ、臍を目印として胴側部回り方向に規制しながらガイド位置決めすることによって同様に実施可能である。
【０１０３】
また、上述した実施例１では、手接触部は、長手側が水平となるように設けられたが、長短形状の長手腹部側が水平より上かつ長手胴側部側が水平より下、又は長短形状の長手側が垂直となるように設けられてもよい。
【実施例５】
【０１０４】
まず、図９に示す外観図を用いて、実施例５としての生体電気インピーダンス測定装置（ガイド位置決め部が、基準ポイントとなる身体部位を上前腸骨棘及び臍とし、手接触部が、腸骨稜前後を通る垂直線間の範囲かつ肋骨最下部を通る水平線から腸骨稜上縁を通る水平線までの範囲にある身体部位に定着する形態）の具体的な構成について説明する。
【０１０５】
実施例５としての生体電気インピーダンス測定装置は、本体３１と、胴部押当体１０１と、本体３１及び胴部押当体１０１を接続する左右のコード１０２、１０３とから構成する。
【０１０６】
本体３１は、実施例２において説明した構成と同じである。
【０１０７】
胴部押当体１０１は、ガイド位置決め部１０４（１０４ａ、１０４ｂ）、押当面１０５及び手接触部１０６を備える。
【０１０８】
ガイド位置決め部１０４（１０４ａ、１０４ｂ）は、左右の上前腸骨棘Ｐｌ、Ｐｒを垂直下方向に押当しながらガイド位置決めするガイド位置決め面１０４ａと、臍を目印として胴側部回り方向に規制するガイド位置決めマーク１０４ｂとを有する。
【０１０９】
押当面１０５は、胴回り方向にほぼ胴回りに沿った曲面を成し、ガイド位置決め面１０４ａ及びガイド位置決めマーク１０４ｂによりガイド位置決めした際に、左の腸骨稜前後を通る垂直線Ｌｆ、Ｌｂ間（図１１（ｃ）参照）の範囲かつ肋骨最下部を通る水平線Ｈｕ（図１１参照）から腸骨稜上縁を通る水平線Ｈｌ（図１１参照）までの範囲、及び右の腸骨稜前後を通る垂直線Ｒｆ、Ｒｂ間（図１１（ｂ）参照）の範囲かつ肋骨最下部を通る水平線Ｈｕ（図１１参照）から腸骨稜上縁を通る水平線（図１１参照）までの範囲にある身体部位に押し当たる。
【０１１０】
手接触部１０６は、電流印加用電極及び電圧測定用電極１０６ｂを有し、グリップ形状を成し、押当面１０５と対向する側（左右２箇所）に、長手側が水平となるように設けられる。
【０１１１】
実施例５の生体電気インピーダンス測定装置によると、上前腸骨棘Ｐｌ、Ｐｒを垂直下方向押し当てつつ、臍Ｚを目印として胴側部回り方向に規制しながらガイド位置決めすることにより、押当面１０５が腸骨稜前後を通る垂直線Ｌｆ、Ｌｂ間、Ｒｆ、Ｒｂ間（図１１（ｂ）、（ｃ）参照）の範囲かつ肋骨最下部を通る水平線Ｈｕから腸骨稜上縁を通る水平線Ｈｌ（図１１参照）までの範囲にある身体部位に押し当たり、この押当面１０５と対向する面に設けられた手接触部１０６も腸骨稜前後を通る垂直線Ｌｆ、Ｌｂ間、Ｒｆ、Ｒｂ間の範囲かつ肋骨最下部を通る水平線Ｈｕから腸骨稜上縁を通る水平線Ｈｌまでの範囲にある身体部位に定着することから、脇の下の接触を回避し、容易かつ一定の測定姿勢を維持することができる。
【０１１２】
また、実施例５の形態は、ガイド位置決め部が、基準ポイントとなる身体部位を腸骨稜上縁及び臍とし、手接触部が、腸骨稜前後を通る垂直線間の範囲かつ肋骨最下部を通る水平線から腸骨稜上縁を通る水平線までの範囲にある身体部位に定着する形態でもある。腸骨稜上縁を垂直下方向に押し当てつつ、臍を目印として胴側部回り方向に規制しながらガイド位置決めすることによって同様に実施可能である。
【産業上の利用可能性】
【０１１３】
本発明は、電極を有する手接触部を用いて、生体電気インピーダンスを測定し、この測定した生体電気インピーダンスに基づいて、全身や身体各部についての体脂肪率、筋肉量、内臓脂肪量、皮下脂肪量、体水分量などの体組成情報を推定する体脂肪計、体組成計といったものに特に適用できる。
【図面の簡単な説明】
【０１１４】
【図１】生体電気インピーダンス測定装置（タイプ１）の外観構造を示す外観図であり、（ａ）が左の胴部押当体の正面図、（ｂ）が右の胴部押当体の正面図、（ｃ）が左の胴部押当体の平面図、（ｄ）が右の胴部押当体の平面図、（ｅ）が左の胴部押当体の側面図、（ｆ）が右の胴部押当体の側面図である。（実施例１）
【図２】生体電気インピーダンス測定装置を用いての測定状態を示す測定状態図である。（実施例１）
【図３】生体電気インピーダンス測定装置（タイプ２）の外観構造を示す外観図であり、（ａ）が胴部押当体の正面図、（ｂ）が胴部押当体の平面図である。（実施例１）
【図４】生体電気インピーダンス測定装置（タイプ３）の外観構造を示す外観図であり、（ａ）が左の胴部押当体の正面図、（ｂ）が右の胴部押当体の正面図、（ｃ）が左の胴部押当体の平面図、（ｄ）が右の胴部押当体の平面図、（ｅ）が左の胴部押当体の側面図、（ｆ）が右の胴部押当体の側面図である。（実施例２）
【図５】生体電気インピーダンス測定装置を用いての測定状態を示す測定状態図である。（実施例２）
【図６】生体電気インピーダンス測定装置（タイプ４）の外観構造を示す外観図であり、（ａ）が胴部押当体の正面図、（ｂ）が胴部押当体の平面図である。（実施例２）
【図７】生体電気インピーダンス測定装置（タイプ５）の外観構造を示す外観図であり、（ａ）が左の胴部押当体の正面図、（ｂ）が右の胴部押当体の正面図、（ｃ）が左の胴部押当体の平面図、（ｄ）が右の胴部押当体の平面図、（ｅ）が左の胴部押当体の側面図、（ｆ）が右の胴部押当体の側面図である。（実施例３）
【図８】生体電気インピーダンス測定装置（タイプ６）の外観構造を示す外観図であり、（ａ）が胴部押当体の正面図、（ｂ）が胴部押当体の平面図である。（実施例４）
【図９】生体電気インピーダンス測定装置（タイプ７）の外観構造を示す外観図であり、（ａ）が胴部押当体の正面図、（ｂ）が胴部押当体の平面図である。（実施例５）
【図１０】手接触部の配置する向きがことなるタイプの場合においての測定状態を示す測定状態図である。（実施例１）
【図１１】身体の基準となる箇所を説明する図であり、（ａ）が身体の正面図、（ｂ）が身体の右側面図、（ｃ）が身体の左側面図、（ｄ）が身体の背面図である。（実施例１〜５）
【符号の説明】
【０１１５】
１、３２、５１  左の胴部押当体
２、３３、５２  右の胴部押当体
３、７、４１、４４、５５、５８、８２、１０４  ガイド位置決め部
３ａ、３ｂ、７ａ、７ｂ、５５ａ、５５ｂ、５８ａ、５８ｂ、８２ａ、１０４ａ  ガイド位置決め面
４、８、４２、４５、５６、５９、８４、１０５  押当面
５、９、４３、４６、５５、６０、８３、１０６  手接触部
５ａ、９ａ、３７、４３ａ、４６ａ、５７ａ、６０ａ、８３ａ、１０６ａ  電流印加用電極
５ｂ、９ｂ、３８、４３ｂ、４６ｂ、５７ｂ、６０ｂ、８３ｂ、１０６ｂ  電圧測定用電極
６、１２、４０  入力部
１０、１１、３９、８５  表示部
１３  操作部
１４、１５  滑り防止部
１６、１７、４７  可撓部
３１  本体
３４、３５、５３、５４、１０２、１０３  コード
３６  載せ台
８１、１０１  胴部押当体
８２ｂ、１０４ｂ  ガイド位置決めマーク
Ｐｌ  左の上前腸骨棘
Ｐｒ  右の上前腸骨棘
Ｕｌ  左の腸骨稜上縁
Ｕｒ  右の腸骨稜上縁
Ｔｌ  左の肋骨最下部
Ｔｒ  右の肋骨最下部
Ｑｌ  左の上後腸骨棘
Ｑｒ  右の上後腸骨棘
Ｅｆｌ  左の腸骨稜前
Ｅｂｌ  左の腸骨稜後
Ｅｆｒ  右の腸骨稜前
Ｅｂｒ  右の腸骨稜後
Ｚ  臍
Ｆｌ  左の上前腸骨棘を通る垂直線
Ｆｒ  右の上前腸骨棘を通る垂直線
Ｌｆ  左の腸骨稜前を通る垂直線
Ｌｂ  左の腸骨稜後を通る垂直線
Ｓｌ  左の腸骨稜上縁を通る垂直線
Ｒｆ  右の腸骨稜前を通る垂直線
Ｒｂ  右の腸骨稜後を通る垂直線
Ｓｌ  右の腸骨稜上縁を通る垂直線
Ｂｌ  左の上後腸骨棘を通る垂直線
Ｂｒ  右の上後腸骨棘を通る垂直線
【図１】
2007130150.tif 000003
【図２】
2007130150.tif 000004
【図３】
2007130150.tif 000005
【図４】
2007130150.tif 000006
【図５】
2007130150.tif 000007
【図６】
2007130150.tif 000008
【図７】
2007130150.tif 000009
【図８】
2007130150.tif 000010
【図９】
2007130150.tif 000011
【図１０】
2007130150.tif 000012
【図１１】
2007130150.tif 000013